(57)【要約】【課題】従来の熱交換形換気装置においては、運転停止時に屋外から外気が入らないようにするためのダンパーのメンテナンス性が悪いという課題を有していた。そこで本発明は、メンテナンス性を向上させたダンパーの配置及び固定方法を備えた熱交換形換気装置を提供することを目的とする。【解決手段】多孔質材料からなる第一風路仕切り部品２０及び第二風路仕切り部品３０を備え、第一風路仕切り部品２０と第二風路仕切り部品３０とでダンパー１２を挟持する構成にしたことにより、ダンパー１２のメンテナンス性を向上させつつ、ダンパー１２の脱落を抑制することができる熱交換形換気装置を得られる。【選択図】図３
2019011878.tif 000002
【特許請求の範囲】
【請求項１】
屋外の空気を室内に取り入れる給気用ファンと、
室内の空気を屋外に排出する排気用ファンと、
前記給気用ファン及び前記排気用ファンを内蔵する筐体と、
前記給気用ファンにより給気吸込口から給気吹出口に送風される給気送風経路と、
前記排気用ファンにより排気吸込口から排気吹出口に送風される排気送風経路と、
前記給気送風経路と前記排気送風経路とが交差する位置に設けられ、室内の空気と屋外の空気を換気する際に熱交換する熱交換素子と、
前記筐体内部の前記給気送風経路において前記給気吸込口側に設けられたダンパーと、
を備えた熱交換形換気装置において、
多孔質材料からなる第一風路仕切り部品及び第二風路仕切り部品を備え、
前記第一風路仕切り部品と前記第二風路仕切り部品とで前記ダンパーを挟持することを特徴とした熱交換形換気装置。
【請求項２】
前記第一風路仕切り部品が有する凹部と、前記第二風路仕切り部品が有する凸部とが係合することで前記ダンパーを挟持することを特徴とする請求項１に記載の熱交換形換気装置。
【請求項３】
前記凹部は、第一上部と、溝部と、第一下部と、を備え、
前記凸部は、第二上部と、突起部と、第二下部と、を備え、
前記第一上部と前記第二上部が当接し、前記第一下部と前記第二下部が当接し、前記溝部と前記突起部が係合することを特徴とする請求項２に記載の熱交換形換気装置。
【請求項４】
前記第一風路仕切り部品は、前記凹部の下方にダンパー取付部を備え、
前記ダンパー取付部は、
前記ダンパーが設けられるための開口と、
前記開口の周縁に、第一接触面、第二接触面及び第三接触面を備え、
前記第一接触面、前記第二接触面及び前記第三接触面は、前記ダンパーと当接することを特徴とする請求項３に記載の熱交換形換気装置。
【請求項５】
前記第一接触面は、前記開口の上部に設けられ、
前記第二接触面は、前記開口の下部に設けられ、
前記第三接触面は、前記開口の側部に設けられることを特徴とする請求項４に記載の熱交換形換気装置。
【請求項６】
前記ダンパー取付部は、前記ダンパーと当接する第四接触面を備え、
前記第四接触面は、前記開口の側部であって、前記第三接触面より前記排気用ファン側に設けられることを特徴とする請求項４または５に記載の熱交換形換気装置。
【請求項７】
前記第一風路仕切り部品及び前記第二風路仕切り部品は発泡プラスチックからなる請求項１乃至６に記載の熱交換形換気装置。
【請求項８】
前記第一風路仕切り部品は、前記筐体と一体であることを特徴とする請求項７に記載の熱交換形換気装置。
【請求項９】
前記第二風路仕切り部品は、前記凸部から下方向に延設される突出部を備え、
前記突出部は、前記ダンパー及び前記第三接触面と当接することを特徴とする請求項３乃至８に記載の熱交換形換気装置。
【発明の詳細な説明】
【技術分野】
【０００１】
本発明は、外気と室内空気を熱交換する熱交換形換気装置に関するものである。
【背景技術】
【０００２】
従来、この種の換気装置としては、建物内に設置され外気を外気給気口から導入し、内蔵する熱交換素子を経て室内に供給する換気装置が知られている（例えば、特許文献１参照）。
【０００３】
以下、その熱交換換気装置１０１について図１０を参照しながら説明する。
【０００４】
本体箱体１０２は、建物内の屋根裏空間または天井裏空間に設置される。新鮮外気は、室外側吸込口１０５から導入され、内蔵する熱交換器１１２を通過して室内側吹出口１０６を経て室内に供給される。一方、室内の汚れた空気は、室内側吸込口１０４から導入され、熱交換器１１２を通過し、室外側吹出口１０７を経て室外に排気される。室外側吸込口１０５から導入される新鮮外気と室内側吸込口１０４から導入される室内の汚れた空気は、熱交換器１１２を経て電動機に連結された給気用送風機１１１と排気用送風機１１０により移送される構成としている。また、本体箱体１０２の内部に、ダンパ装置１１５を備えた構成としている。
【先行技術文献】
【特許文献】
【０００５】
【特許文献１】特開２０１４−１６３５５１号公報
【発明の概要】
【発明が解決しようとする課題】
【０００６】
従来の熱交換形換気装置においては、運転停止時に屋外から外気が入らないようにするためのダンパーのメンテナンス性が悪いという課題を有していた。
【０００７】
そこで本発明は、メンテナンス性を向上させたダンパーの配置及び固定方法を備えた熱交換形換気装置を実現する。
【課題を解決するための手段】
【０００８】
そして、この目的を達成するために、本発明の一態様に係る熱交換形換気装置は、屋外の空気を室内に取り入れる給気用ファンと、室内の空気を屋外に排出する排気用ファンと、
前記給気用ファン及び前記排気用ファンを内蔵する筐体と、前記給気用ファンにより給気吸込口から給気吹出口に送風される給気送風経路と、前記排気用ファンにより排気吸込口から排気吹出口に送風される排気送風経路と、前記給気送風経路と前記排気送風経路とが交差する位置に設けられ、室内の空気と屋外の空気を換気する際に熱交換する熱交換素子と、前記筐体内部の前記給気送風経路において前記給気吸込口側に設けられたダンパーと、を備えた熱交換形換気装置において、多孔質材料からなる第一風路仕切り部品及び第二風路仕切り部品を備え、前記第一風路仕切り部品と前記第二風路仕切り部品とで前記ダンパーを挟持することにより、所期の目的を達成するものである。
【発明の効果】
【０００９】
本発明によれば、メンテナンス性を向上させつつ、強風時に発生するダンパーの脱落を抑制することができる。
【図面の簡単な説明】
【００１０】
【図１】本発明に係る熱交換形換気装置を示す外形上面図
【図２】本発明に係る熱交換形換気装置を示す外形側面図
【図３】本発明の実施の形態１のダンパーを挟持する構成を示す図
【図４】本発明の実施の形態１の第一風路仕切り部品を示す斜視図
【図５】本発明の実施の形態１の第一風路仕切り部品を示す拡大斜視図
【図６】本発明の実施の形態１の第二風路仕切り部品を示す斜視図
【図７】（ａ）本発明の実施の形態１のダンパーを挟持する構成を示す図（ｂ）本発明の実施の形態１のダンパーを挟持する構成を示す図
【図８】本発明の実施の形態１のダンパー取付部にダンパーが取り付けられた状態を示す斜視図
【図９】本発明の実施の形態１のダンパー取付部にダンパーが取り付けられた状態を示す正面図
【図１０】従来の熱交換形換気装置の側面断面を示す構成図
【発明を実施するための形態】
【００１１】
本発明の一態様に係る熱交換形換気装置は、屋外の空気を室内に取り入れる給気用ファンと、室内の空気を屋外に排出する排気用ファンと、前記給気用ファン及び前記排気用ファンを内蔵する筐体と、前記給気用ファンにより給気吸込口から給気吹出口に送風される給気送風経路と、前記排気用ファンにより排気吸込口から排気吹出口に送風される排気送風経路と、前記給気送風経路と前記排気送風経路とが交差する位置に設けられ、室内の空気と屋外の空気を換気する際に熱交換する熱交換素子と、前記筐体内部の前記給気送風経路において前記給気吸込口側に設けられたダンパーと、を備えた熱交換形換気装置において、多孔質材料からなる第一風路仕切り部品及び第二風路仕切り部品を備え、前記第一風路仕切り部品と前記第二風路仕切り部品とで前記ダンパーを挟持する構成を有する。
【００１２】
この構成によれば、第一風路仕切り部品と前記第二風路仕切り部品とでダンパーを挟持することができるため、ダンパーを固定するための部材（例えば、ねじ等）を追加することなくダンパーを強固に固定することができる。すなわち、ダンパーのメンテナンスを容易に行うことができるようになるとともに、強風時に発生するダンパーの脱落を抑制することができるという効果を奏する。
【００１３】
また、前記第一風路仕切り部品が有する凹部と、前記第二風路仕切り部品が有する凸部とが係合することで前記ダンパーを挟持する構成としてもよい。
【００１４】
この構成によれば、強固にダンパーを固定することができる。
【００１５】
また、前記凹部は、第一上部と、溝部と、第一下部と、を備え、前記凸部は、第二上部と、突起部と、第二下部と、を備え、前記第一上部と前記第二上部が当接し、前記第一下部と前記第二下部が当接し、前記溝部と前記突起部が係合する構成としてもよい。
【００１６】
この構成によれば、より強固にダンパーを固定することができる。
【００１７】
また、前記第一風路仕切り部品は、前記凹部の下方にダンパー取付部を備え、前記ダンパー取付部は、前記ダンパーが設けられるための開口と、前記開口の周縁に、第一接触面、第二接触面及び第三接触面を備え、前記第一接触面、前記第二接触面及び前記第三接触面は、前記ダンパーと当接する構成としてもよい。
【００１８】
この構成によれば、ダンパーの脱落をより抑制することができる。
【００１９】
また、前記第一接触面は、前記開口の上部に設けられ、前記第二接触面は、前記開口の下部に設けられ、前記第三接触面は、前記開口の側部に設けられる構成としてもよい。
【００２０】
この構成によれば、ダンパーの脱落をより抑制することができる。
【００２１】
また、前記ダンパー取付部は、前記ダンパーと当接する第四接触面を備え、前記第四接触面は、前記開口の側部であって、前記第三接触面より前記排気用ファン側に設けられる構成としてもよい。
【００２２】
この構成によれば、ダンパーの脱落をさらに抑制することができる。
【００２３】
また、前記第一風路仕切り部品及び前記第二風路仕切り部品は発泡プラスチックからなる構成としてもよい。
【００２４】
この構成によれば、筐体内の断熱効果を向上させることができる。
【００２５】
また、前記第一風路仕切り部品は、前記筐体と一体である構成としてもよい。
【００２６】
この構成によれば、断熱効果をさらに向上させることができる。
【００２７】
また、前記第二風路仕切り部品は、前記凸部から下方向に延設される突出部を備え、前記突出部は、前記ダンパー及び前記第三接触面と当接する構成としてもよい。
【００２８】
この構成によれば、ダンパーの脱落をさらに抑制することができる。
以下、本発明の実施の形態について図面を参照しながら説明する。
（実施の形態１）
本発明に係る熱交換形換気装置の構成について、図１及び図２を用いて説明する。
【００２９】
図１及び図２は、それぞれ、本発明に係る熱交換形換気装置を示す外形上面図及び外形側面図である。
【００３０】
図１に示すように、熱交換形換気装置１は、箱形の筐体４を有する。
【００３１】
筐体４の内部には、給気用ファン２、排気用ファン３、及び熱交換素子１１が設けられている。
【００３２】
筐体４の例えば側面には、給気吸込口５、給気吹出口６、排気吸込口８、及び排気吹出口９が設けられている。
【００３３】
給気吹出口６は、給気吸込口５または排気吹出口９が設けられた側面に対向した側面に設けられる。
【００３４】
給気吸込口５、給気吹出口６、排気吸込口８、及び排気吹出口９には、それぞれダクト（図示せず）が接続できる形状となっている。給気吸込口５と排気吹出口９に接続したダクトは建物外壁面まで引き回して建物外の屋外空気と連通する。給気吹出口６と排気吸込口８に接続したダクトは居室の天井面または壁面と連通されて室内空気と連通する。
【００３５】
また、熱交換形換気装置１は、給気送風経路７及び排気送風経路１０を有する。
【００３６】
図１及び図２に示すように、給気送風経路７は、新鮮な屋外の空気（給気空気）を給気吸込口５から吸い込み、熱交換形換気装置１の内部の熱交換素子１１を通って給気吹出口６から室内に供給する経路である。
【００３７】
排気送風経路１０は、汚染された室内の空気（排気空気）を排気吸込口８から吸い込み、熱交換素子１１を通って排気吹出口９から室外に排気する経路である。
【００３８】
熱交換素子１１は、排気される空気の熱量を給気される空気に供給する、または、給気される空気の熱量を排気される空気の熱量に供給する、熱回収の機能を有している。熱交換素子１１は、給気送風経路７と排気送風経路１０とが交差する位置に配設される。
【００３９】
ダンパー１２は、熱交換形換気装置１の運転停止時に屋外から外気が入ることを抑制する。また、ダンパー１２は、例えば給気吸込口５と熱交換素子１１との間に設けられ、着脱可能である。
【００４０】
ダンパー１２は、ダンパー枠１３と、ダンパープレート１４と、ダンパーモータ１５と、センター軸１６とを含む。ダンパー１２は、例えば四角形状である。
【００４１】
ダンパー枠１３は、ダンパープレート１４の周囲を囲むように設けられる。
【００４２】
ダンパープレート１４は、例えば平板状で、センター軸１６で支えられる。ダンパープレート１４は開閉可能で、雨水や、屋外からの空気（給気空気）に含まれる砂塵等の異物などが室内に浸入することを抑制する。
【００４３】
ダンパーモータ１５は、センター軸１６と連結し、ダンパープレート１４を開閉させる。
【００４４】
図３は、本発明の実施の形態１のダンパーを挟持する構成を示す図である。
【００４５】
図３に示すように、ダンパー１２は、第一風路仕切り部品２０と第二風路仕切り部品３０とで挟み込まれることで、保持される。
【００４６】
第一風路仕切り部品２０及び第二風路仕切り部品３０は、多孔質材料からなり、筐体４内に設けられている。
【００４７】
ここで、第一風路仕切り部品２０及び第二風路仕切り部品３０について、図４〜図７を用いて説明する。
【００４８】
図４は、本発明の実施の形態１の第一風路仕切り部品を示す斜視図であり、図５は、本発明の実施の形態１の第一風路仕切り部品を示す拡大斜視図である。
【００４９】
図４に示すように、第一風路仕切り部品２０は、凹部２１と、排気用ファン吹き出し風路２５と、給排気仕切り部２６と、ダンパー取付部４０と、を有している。第一風路仕切り部品２０は、給気吸込口５と熱交換素子１１との間に設けられる。
【００５０】
排気用ファン吹き出し風路２５は、排気送風経路１０に入ってきた空気を集めて吹き出す風路で、給排気仕切り部２６は、給気送風経路７と排気送風経路１０とを仕切る部分である。
【００５１】
図５に示すように、ダンパー取付部４０の上方に凹部２１が設けられている。
【００５２】
凹部２１は、第一上部２２と、溝部２３と、第一下部２４と、を有している。
【００５３】
第一上部２２及び第一下部２４は、例えば給気吸込口５から熱交換素子１１に向かう方向に突出している。
【００５４】
ダンパー取付部４０は、第一接触面４１と、第二接触面４２と、第三接触面４３と、開口４５と、を有している。
【００５５】
第一接触面４１、第二接触面４２及び第三接触面４３は、開口４５の周縁に設けられる。
【００５６】
例えば、第一接触面４１は、開口４５の上部に設けられ、第二接触面４２は、開口４５の下部に設けられ、第三接触面４３は、開口４５の側部に設けられる。
【００５７】
第一接触面４１は、凹部２１側すなわち上方から、下方に向かって突出して設けられている。
【００５８】
第二接触面４２は、凹部２１と対向する側すなわち下方から、上方に向かって突出して設けられている。
【００５９】
第三接触面４３は、筐体４の外郭に近い側の開口４５の側部に設けられている。
【００６０】
開口４５は、ダンパー１２が格納される空間である。すなわち、開口４５はダンパー１２と略同一の大きさであればよい。
【００６１】
第一接触面４１及び第二接触面４２は、開口４５の内側に設けられていてもよい。
【００６２】
ダンパー取付部４０の開口４５にダンパー１２が挿入されるように取り付けられる。ダンパー１２が開口４５に取り付けられると、ダンパー枠１３は、第一接触面４１、第二接触面４２及び第三接触面４３に押し当てられるように当接する。
【００６３】
図６は、本発明の実施の形態１の第二風路仕切り部品を示す斜視図である。
【００６４】
図６に示すように、第二風路仕切り部品３０は、凸部３１と、排気用ファン第一吸込部３５と、排気用ファン第二吸込部３６と、を有している。
【００６５】
凸部３１は、第二上部３２と、突起部３３と、第二下部３４と、を有している。
【００６６】
突起部３３は、例えば熱交換素子１１から給気吸込口５に向かう方向に突出している。
【００６７】
排気用ファン第一吸込部３５は、排気用ファン３により、排気吸込口８の排気用ファン３の手前部分から空気が吸い込まれる部分である。
【００６８】
排気用ファン第二吸込部３６は、排気用ファン３により、排気吸込口８の排気用ファン３の奥側から空気が吸い込まれる部分である。
【００６９】
なお、第二風路仕切り部品３０は、ダンパー１２を挟持するとともに、熱交換素子１１を保持するものであってもよい。
【００７０】
ここで、ダンパー１２の固定方法について図７〜図９を用いて説明する。
【００７１】
図７（ａ）及び図７（ｂ）は、本発明の実施の形態１のダンパーを挟持する構成を示す図である。図８は、本発明の実施の形態１の本発明の実施の形態１のダンパー取付部にダンパーが取り付けられた状態を示す斜視図であり、図９は、本発明の実施の形態１のダンパー取付部にダンパーが取り付けられた状態を示す正面図である。
【００７２】
ダンパー１２は、次のようにして挟持される。
【００７３】
まず、ダンパー１２がダンパー取付部４０に格納される。すなわち、ダンパー１２が開口４５に格納される。
【００７４】
これにより、ダンパー枠１３が第一接触面４１、第二接触面４２及び第三接触面４３に押し当てられる。
【００７５】
さらに、ダンパー１２が開口４５に格納されている状態において、第二風路仕切り部品３０が第一風路仕切り部品２０と係合する。すなわち、凹部２１と凸部３１とが係合する。
【００７６】
これにより、ダンパー１２が挟持される。
【００７７】
ここで、凹部２１と凸部３１とが係合するとは、例えば、第一上部２２と第二上部３２が当接し、溝部２３と突起部３３が係合し、第一下部２４と第二下部３４とが当接することをいう。
【００７８】
すなわち、ダンパー枠１３が第一風路仕切り部品２０と第二風路仕切り部品３０とで挟まれることで、ダンパー１２が挟持される。
【００７９】
なお、凹部２１の深さ、すなわち第一上部２２及び第一下部２４と溝部２３との距離は、凸部３１の突起部３３が係合される距離であればよい。
【００８０】
また、図５に示すように、第一風路仕切り部品２０は、第四接触面４４を備えていてもよい。第四接触面４４は、開口４５の側部であって、第三接触面４３より排気用ファン３側に設けられる。ダンパー１２が開口４５に取り付けられると、第四接触面４４にダンパー枠１３が押し当てられるように当接する。
【００８１】
また、図６に示すように、第二風路仕切り部品３０は、凸部３１から下方向に延設される突出部５０を備えていてもよい。突出部５０は、ダンパー枠１３及び第三接触面４３と当接する。
【００８２】
また、第一風路仕切り部品２０及び第二風路仕切り部品３０は発泡プラスチックからなる構成としてもよい。
【００８３】
なお、多孔質材料とは、例えば発泡プラスチックなどである。また、発泡プラスチックとは、例えば発泡スチロールなどである。
【００８４】
また、熱交換素子１１は、全熱交換素子としてもよい。
【００８５】
また、第一風路仕切り部品２０は、筐体４と一体である構成としてもよい。
【００８６】
以上、本発明に係る熱交換形換気装置について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００８７】
熱交換形換気装置は、外気と室内空気の熱交換を目的とするダクト式の換気装置、ダクト式の空気調和装置等として有用である。
【符号の説明】
【００８８】
１    熱交換形換気装置
２    給気用ファン
３    排気用ファン
４    筐体
５    給気吸込口
６    給気吹出口
７    給気送風経路
８    排気吸込口
９    排気吹出口
１０    排気送風経路
１１    熱交換素子
１２    ダンパー
１３    ダンパー枠
１４    ダンパープレート
１５    ダンパーモータ
１６    センター軸
２０    第一風路仕切り部品
２１    凹部
２２    第一上部
２３    溝部
２４    第一下部
２５    排気用ファン吹き出し風路
２６    給排気仕切り部
３０    第二風路仕切り部品
３１    凸部
３２    第二上部
３３    突起部
３４    第二下部
３５    排気用ファン第一吸込部
３６    排気用ファン第二吸込部
４０    ダンパー取付部
４１    第一接触面
４２    第二接触面
４３    第三接触面
４４    第四接触面
４５    開口
５０    突出部
【図１】
2019011878.tif 000003
【図２】
2019011878.tif 000004
【図３】
2019011878.tif 000005
【図４】
2019011878.tif 000006
【図５】
2019011878.tif 000007
【図６】
2019011878.tif 000008
【図７】
2019011878.tif 000009
【図８】
2019011878.tif 000010
【図９】
2019011878.tif 000011
【図１０】
2019011878.tif 000012